(57)【要約】      （修正有）【課題】つづら折りされた第一の電極を含む部材の折り返し部に第二の電極を含む部材が位置ずれしにくい蓄電素子を提供する。【解決手段】第一の電極を含むと共に、第一方向における一方側を開放するようにターン部で折り返された第一折り返し部、及び、前記第一方向における他方側を開放するようにターン部で折り返された第二折り返し部が交互に配されるようつづら折りされた長尺の第一部材２１と、前記第一の電極と極性の異なる第二の電極を含み且つ前記第一折り返し部に挟まれている第一の第二部材、及び、前記第二の電極を含み且つ前記第二折り返し部に挟まれている第二の第二部材を含む複数の第二部材２２と、を有する電極体２を備え、前記第一の第二部材の前記他方側の端部は、前記第一折り返し部の前記ターン部に当接し、前記第二の第二部材の前記一方側の端部は、前記第二折り返し部の前記ターン部に当接する蓄電素子。【選択図】図４
2019053825.tif 000002
【特許請求の範囲】
【請求項１】
第一の電極を含むと共に、第一方向における一方側を開放するようにターン部で折り返された第一折り返し部、及び、前記第一方向における他方側を開放するようにターン部で折り返された第二折り返し部が交互に配されるようつづら折りされた長尺の第一部材と、
前記第一の電極と極性の異なる第二の電極を含み且つ前記第一折り返し部の内側に配置された第一の第二部材、及び、前記第二の電極を含み且つ前記第二折り返し部の内側に配置された第二の第二部材を含む複数の第二部材と、
を有する電極体
を備え、
前記第一の第二部材の前記他方側の端部は、前記第一折り返し部の前記ターン部に当接し、
前記第二の第二部材の前記一方側の端部は、前記第二折り返し部の前記ターン部に当接する、蓄電素子。
【請求項２】
前記第二の電極は、本体部と、該本体部から前記第一方向及び前記複数の第二部材が並ぶ方向のいずれにも直交する第二方向に突出するタブ部とを含み、
前記第一方向において、
前記第一の第二部材における前記他方側の端縁から前記タブ部の中心までの距離をＬ１とし、前記第二の第二部材における前記一方側の端縁から前記タブ部の中心までの距離をＬ２とし、前記第一折り返し部の前記ターン部の谷折り面から前記第二折り返し部の前記ターン部の谷折り面までの距離をＬ３とし、前記タブ部の幅をＴ１としたとき、以下の数式を満たす、請求項１に記載の蓄電素子。
Ｌ３＞Ｔ１
Ｌ３−Ｔ１＜Ｌ１＋Ｌ２＜Ｌ３＋Ｔ１
【請求項３】
前記第二の電極は、板状の本体部と、該本体部から前記第一方向及び前記複数の第二部材が並ぶ方向のいずれにも直交する第二方向に突出するタブ部とを含み、
前記複数の第二部材の各々は、前記本体部を挟むセパレータを有し、
前記第一の第二部材の形状と前記第二の第二部材の形状とは同じであり、
前記第一方向において、
前記第一部材における前記第一折り返し部の前記ターン部の谷折り面と前記第一部材における前記第二折り返し部の前記ターン部の谷折り面との間の距離をＸとし、前記セパレータの長さをＹとし、前記タブ部の幅をＴ１としたとき、以下の数式を満たす、請求項１に記載の蓄電素子。
２Ｘ＞Ｔ１、
Ｘ−（Ｔ１／２）＜Ｙ＜Ｘ＋（Ｔ１／２）
【請求項４】
前記電極体を含むケースを備え、
前記複数の第二部材の各々は、折り曲げ部を含むセパレータであって、前記第二の電極を挟むセパレータと、該セパレータから前記第一方向及び前記複数の第二部材が並ぶ方向のいずれにも直交する第二方向に突出するタブ部であって前記第二の電極の一部であるタブ部とを含み、
前記第二方向において、
前記第一の第二部材の前記セパレータにおける前記タブ部が突出する側と反対側の端部から前記タブ部が突出する位置までの寸法は、前記第二の第二部材の前記セパレータにおける前記タブ部が突出する側と反対側の端部から前記タブ部が突出する位置までの寸法と同じであり、
前記第一の第二部材の前記タブ部の突出量は、前記第二の第二部材の前記タブ部の突出量と同じであり、
前記折り曲げ部の谷折り面は、前記第二の電極の前記本体部における前記タブ部が突出する側と反対の端部を覆い、
前記電極体は、前記セパレータの前記折り曲げ部の山折り面を前記ケースの内面に直接または間接に当接させた状態で、前記ケース内に配置されている、請求項１〜３のいずれか１項に記載の蓄電素子。
【請求項５】
前記複数の第二部材の各々は、折り曲げ部を含むセパレータであって、前記第二の電極を挟むセパレータを有し、
前記第一の第二部材において、
前記第二の電極の前記他方側の端部は、前記セパレータの前記折り曲げ部の谷折り面に当接し、
前記セパレータの前記折り曲げ部の山折り面は、前記第一折り返し部の前記ターン部に当接し、
前記第二の第二部材において、
前記第二の電極の前記一方側の端部は、前記セパレータの前記折り曲げ部の谷折り面に当接し、
前記セパレータの前記折り曲げ部の山折り面は、前記第二折り返し部の前記ターン部に当接する、請求項１〜４のいずれか１項に記載の蓄電素子。
【請求項６】
前記第二の電極は、本体部と、該本体部から前記第一方向及び前記複数の第二部材が並ぶ方向のいずれにも直交する第二方向に突出するタブ部とを含み
前記第一方向において、
前記第一の第二部材における前記第二の電極と前記第二の第二部材における前記第二の電極とで、前記他方側の端縁同士の位置が異なり、
前記第二の第二部材における前記第二の電極の形状は、前記第一の第二部材における前記第二の電極を反転させた形状と同一であり、
前記第一の第二部材において、
前記タブ部は、前記第一の第二部材における前記第二の電極の前記他方側の端縁と前記第一の第二部材における前記第二の電極の前記一方側の端縁との中心から、前記一方側にずれており、
前記タブ部のずれ量をＡとし、前記第一の第二部材における前記第二の電極の前記他方側の端縁と前記第二の第二部材における前記第二の電極の前記他方側の端縁との距離をＢとし、前記タブ部の幅をＴ１としたとき、以下の数式を満たす、請求項５に記載の蓄電素子。
Ｂ＞Ｔ１
（Ｂ／２）−（Ｔ１／２）＜Ａ＜（Ｂ／２）＋（Ｔ１／２）
【発明の詳細な説明】
【技術分野】
【０００１】
本発明は、電極を有する電極体を備えた蓄電素子に関する。
【背景技術】
【０００２】
従来、正極及び負極の一方が蛇腹状に折り畳まれて積層されているリチウムイオン二次電池（以下、単に「電池」と称する）が知られている（例えば、特許文献１参照）。具体的に、この電池は、図１９に示すように、負極・セパレータ圧着体１２１と正極１２２とを組み合わせて、これを蛇腹状に折り畳んで構成された電極体１０２を備える。
【０００３】
負極・セパレータ圧着体１２１は、帯状に連続する一対のセパレータ１２３の間に、負極を基材とする帯状の負極体１２４を圧着して構成されており、全体として帯状に連続している。正極１２２は、複数の短冊状の金属箔を正極リードにより連結して構成されている。
【０００４】
前記電極体１０２を製造する際には、まず、帯状の一対のセパレータ１２３の間に帯状の負極体１２４を配置して、これらをプレス等により圧着することで、負極・セパレータ圧着体１２１を形成する。さらに、負極・セパレータ圧着体１２１に折り目を形成し、負極・セパレータ圧着体１２１に正極１２２を挿入した後、これを折り目に沿って折り畳むことで前記電極体１０２が製造される。
【０００５】
ところで、前記電極体１０２を備えた電池では、正極１２２の周辺には、挿入方向における正極１２２の負極体１２４に対する相対移動を規制するような構成が何ら存在しないため、正極１２２の負極・セパレータ圧着体１２１に対する相対移動は規制されない。これにより、前記電池では、正極１２２と負極・セパレータ圧着体１２１との相対位置が想定された位置からずれる場合がある。
【先行技術文献】
【特許文献】
【０００６】
【特許文献１】特開２０１３−２２２６０２号公報
【発明の概要】
【発明が解決しようとする課題】
【０００７】
そこで、本実施形態は、つづら折りされた第一の電極を含む部材の折り返し部に第二の電極を含む部材が狭持された蓄電素子であって、第一の電極を含む部材と第二の電極を含む部材とが位置ずれしにくい蓄電素子を提供することを目的とする。
【課題を解決するための手段】
【０００８】
本実施形態の蓄電素子は、
第一の電極を含むと共に、第一方向における一方側を開放するようにターン部で折り返された第一折り返し部、及び、前記第一方向における他方側を開放するようにターン部で折り返された第二折り返し部が交互に配されるようつづら折りされた長尺の第一部材と、
前記第一の電極と極性の異なる第二の電極を含み且つ前記第一折り返し部の内側に配置された第一の第二部材、及び、前記第二の電極を含み且つ前記第二折り返し部の内側に配置された第二の第二部材を含む複数の第二部材と、
を有する電極体
を備え、
前記第一の第二部材の前記他方側の端部は、前記第一折り返し部の前記ターン部に当接し、
前記第二の第二部材の前記一方側の端部は、前記第二折り返し部の前記ターン部に当接する。
【０００９】
かかる構成によれば、第二部材の端部が第一折り返し部又は第二折り返し部のターン部に当接しているため、第二部材がターン部側に移動することを抑制できる。換言すると、第二部材が第一折り返し部又は第二折り返し部のターン部により位置決めされるため、第一部材と第二部材とが位置ずれしにくい。
【００１０】
前記第二の電極は、本体部と、該本体部から前記第一方向及び前記複数の第二部材が並ぶ方向のいずれにも直交する第二方向に突出するタブ部とを含み、
前記第一方向において、
前記第一の第二部材における前記他方側の端縁から前記タブ部の中心までの距離をＬ１とし、前記第二の第二部材における前記一方側の端縁から前記タブ部の中心までの距離をＬ２とし、前記第一折り返し部の前記ターン部の谷折り面から前記第二折り返し部の前記ターン部の谷折り面までの距離をＬ３とし、前記タブ部の幅をＴ１としたとき、以下の数式を満たしてもよい。
Ｌ３＞Ｔ１
Ｌ３−Ｔ１＜Ｌ１＋Ｌ２＜Ｌ３＋Ｔ１
【００１１】
第二部材の端部が第一折り返し部又は第二折り返し部のターン部に当接している構成では、第一部材のターン部の位置によって第二部材の端部の位置が定まることになる。このため、複数の第二部材の並ぶ方向から見て、第一の第二部材の端部と第二の第二部材の端部とは、必ずしも一致しない。その結果、複数の第二部材が並ぶ方向から見て、第一の第二部材におけるタブ部と第二の第二部材におけるタブ部とが重ならない場合があるという新たな課題が生じる。一方、かかる構成によれば、第一の第二部材の他方側の端縁（第一折り返し部のターン部に当接させる端縁）を基準とした距離や、第二の第二部材の一方側の端縁（第二折り返し部のターン部に当接させる端縁）を基準とした距離に応じてタブ部の位置を定めているため、第一、第二の第二部材の第一方向における端部の位置にかかわらず、第一、第二の第二部材でタブ部の少なくとも一部を重ねることができる。
【００１２】
前記蓄電素子では、
前記第二の電極は、板状の本体部と、該本体部から前記第一方向及び前記複数の第二部材が並ぶ方向のいずれにも直交する第二方向に突出するタブ部とを含み、
前記複数の第二部材の各々は、前記本体部を挟むセパレータを有し、
前記第一の第二部材の形状と前記第二の第二部材の形状とは同じであり、
前記第一方向において、
前記第一部材における前記第一折り返し部の前記ターン部の谷折り面と前記第一部材における前記第二折り返し部の前記ターン部の谷折り面との間の距離をＸとし、前記セパレータの長さをＹとし、前記タブ部の幅をＴ１としたとき、以下の数式を満たしてもよい。
２Ｘ＞Ｔ１
Ｘ−（Ｔ１／２）＜Ｙ＜Ｘ＋（Ｔ１／２）
【００１３】
第二部材の端部が第一折り返し部又は第二折り返し部のターン部に当接している構成では、第一部材のターン部の位置によって第二部材の端部の位置が定まることになる。このため、複数の第二部材の並ぶ方向から見て、第一の第二部材の端部と第二の第二部材の端部とは、必ずしも一致しない。その結果、複数の第二部材が並ぶ方向から見て、第一の第二部材におけるタブ部と第二の第二部材におけるタブ部とが重ならない場合があるという新たな課題が生じる。一方、かかる構成によれば、セパレータの第一方向における長さを、第一折り返し部及び第二折り返し部のターン部の谷折り面同士の距離に応じて調整することで、異なる形状の第二部材を用いることなく、第一、第二の第二部材でタブ部を重ねることができる。
【００１４】
前記蓄電素子は、
前記電極体を含むケース、を備え、
前記複数の第二部材の各々は、折り曲げ部を含むセパレータであって、前記第二の電極を挟むセパレータと、該セパレータから前記第一方向及び前記複数の第二部材が並ぶ方向のいずれにも直交する第二方向に突出するタブ部であって前記第二の電極の一部であるタブ部とを含み、
前記第二方向において、
前記第一の第二部材の前記セパレータにおける前記タブ部が突出する側と反対側の端部から前記タブ部が突出する位置までの寸法は、前記第二の第二部材の前記セパレータにおける前記タブ部が突出する側と反対側の端部から前記タブ部が突出する位置までの寸法と同じであり、
前記第一の第二部材の前記タブ部の突出量は、前記第二の第二部材の前記タブ部の突出量と同じであり、
前記折り曲げ部の谷折り面は、前記第二の電極の前記本体部における前記タブ部が突出する側と反対の端部を覆い、
前記電極体は、前記セパレータの前記折り曲げ部の山折り面を前記ケースの内面に直接または間接に当接させた状態で、前記ケース内に配置されていてもよい。
【００１５】
かかる構成によれば、セパレータのタブ部が突出する側と反対側の端部がケースの内部に当接しているため、第二の電極のタブ部の第二方向における位置を揃えることができる。
【００１６】
前記蓄電素子では、
前記複数の第二部材の各々は、折り曲げ部を含むセパレータであって、前記第二の電極を挟むセパレータを有し、
前記第一の第二部材において、
前記第二の電極の前記他方側の端部は、前記セパレータの前記折り曲げ部の谷折り面に当接し、
前記セパレータの前記折り曲げ部の山折り面は、前記第一折り返し部の前記ターン部に当接し、
前記第二の第二部材において、
前記第二の電極の前記一方側の端部は、前記セパレータの前記折り曲げ部の谷折り面に当接し、
前記セパレータの前記折り曲げ部の山折り面は、前記第二折り返し部の前記ターン部に当接してもよい。
【００１７】
かかる構成によれば、谷折り面側に第二の電極の端部が当接されたセパレータの折り曲げ部の山折り面が、第一折り返し部又は第二折り返し部のターン部に当接するため、セパレータが第一部材のターン部側に位置ずれしにくく、第二の電極がセパレータの折り曲げ部側に位置ずれしにくい。その結果、第二の電極が第一部材のターン部側に位置ずれしにくい。
【００１８】
前記蓄電素子では、
前記第二の電極は、本体部と、該本体部から前記第一方向及び前記複数の第二部材が並ぶ方向のいずれにも直交する第二方向に突出するタブ部とを含み
前記第一方向において、
前記第一の第二部材における第二の電極と前記第二の第二部材における第二の電極とで、前記他方側の端縁同士の位置が異なり、
前記第二の第二部材における前記第二の電極の形状は、前記第一の第二部材における前記第二の電極を反転させた形状と同一であり、
前記第一の第二部材において、
前記タブ部は、前記第一の第二部材における前記第二の電極の前記他方側の端縁と前記第一の第二部材における前記第二の電極の前記一方側の端縁との中心から、前記一方側にずれており、
前記タブ部のずれ量をＡとし、前記第一の第二部材における前記第二の電極の前記他方側の端縁と前記第二の第二部材における前記第二の電極の前記他方側の端縁との距離をＢとし、前記タブ部の幅をＴ１としたとき、以下の数式を満たしてもよい。
Ｂ＞Ｔ１
（Ｂ／２）−（Ｔ１／２）＜Ａ＜（Ｂ／２）＋（Ｔ１／２）
【００１９】
かかる構成によれば、第一、第二の第二部材で異なる形状の第二の電極を用いることなく、第一、第二の第二部材における第二の電極でタブ部同士の位置を重ねることができる。
【発明の効果】
【００２０】
本実施形態の蓄電素子によれば、つづら折りされた第一の電極を含む部材の折り返し部に第二の電極を含む部材が狭持された蓄電素子であって、第一の電極を含む部材と第二の電極を含む部材とが位置ずれしにくい蓄電素子を提供することができる。
【図面の簡単な説明】
【００２１】
【図１】図１は、本発明の一実施形態に係る蓄電素子の斜視図である。
【図２】図２は、前記蓄電素子の分解斜視図である。
【図３】図３は、図１のＩＩＩ―ＩＩＩ線位置の断面図である。
【図４】図４は、電極体の構成を説明するための斜視図である。
【図５】図５は、第一部材と第二部材との位置関係を説明するための断面模式図である。
【図６】図６は、負極の構成を説明するための図である。
【図７】図７は、つづら折り状態の負極の構成を説明するための斜視図である。
【図８】図８は、負極の折り返し部を説明するための斜視図である。
【図９】図９は、第二部材の構成を説明するための図である。
【図１０】図１０は、第二部材の構成を説明するための図である。
【図１１】図１１は、折り返し部を説明するための断面模式図である。
【図１２】図１２は、折り返し部及び正極タブを説明するための模式図である。
【図１３】図１３は、他実施形態に係る折り返し部及び正極タブを説明するための模式図である。
【図１４】図１４は、他実施形態に係る折り返し部及び正極タブを説明するための模式図である。
【図１５】図１５は、他実施形態に係る第二部材の構成を説明するための斜視図である。
【図１６】図１６は、他実施形態に係る第二部材の構成を説明するための斜視図である。
【図１７】図１７は、他実施形態に係る折り返し部及び正極タブを説明するための模式図である。
【図１８】図１８は、前記蓄電素子を備えた蓄電装置の斜視図である。
【図１９】図１９は、従来の蓄電素子の断面図である。
【発明を実施するための形態】
【００２２】
以下、本発明に係る蓄電素子の一実施形態について、図１〜図１２を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００２３】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００２４】
蓄電素子は、図１〜図３に示すように、電極体２を備える。また、蓄電素子１は、電解液、電極体２と電解液とを収容するケース３、電極体２とケース３との間に配置される絶縁部材４、及び、少なくとも一部が外部に露出する外部端子５等も備える。尚、各図においては、構造を示すために、電極体２を構成する電極等の厚さを誇張して表す等、電極体２の構成を模式的に表している。
【００２５】
電解液は、非水溶液系電解液である。この電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、エチレンカーボネート、ジメチルカーボネート、及びエチルメチルカーボネートを、エチレンカーボネート：ジメチルカーボネート：エチルメチルカーボネート＝３：２：５の割合で調整した混合溶媒に、１ｍｏｌ／ＬのＬｉＰＦ６を溶解させたものである。
【００２６】
電極体２は、図４及び図５にも示すように、第一部材２１と、第二部材２２と、を有する。第一部材２１は、第一の電極２１０を含む。第二部材２２は、第一の電極２１０と極性の異なる第二の電極２２０を含む。
【００２７】
本実施形態の電極体２は、第一の電極２１０と第二の電極２２０との間に配置されるセパレータ２２１も有する。また、本実施形態の電極体２では、第二部材２２は、第二の電極２２０に加えて、セパレータ２２１も含む。さらに、本実施形態の電極体２では、第一部材２１は、第一の電極２１０で構成される。尚、本実施形態の電極体２では、第一の電極２１０は、負極であり、第二の電極２２０は、正極である。
【００２８】
負極２１０は、図６及び図７にも示すように、金属箔２１１と、金属箔２１１の両面のそれぞれに重ねられる負極活物質層２１２と、を有する。即ち、負極２１０は、一つの金属箔２１１と、一対の負極活物質層２１２と、を有する。本実施形態の金属箔２１１は、例えば、銅箔である。
【００２９】
この負極２１０は、長尺な帯状であり、複数の折り返し部２３を有するようにつづら折りされている。具体的に、負極２１０は、第一方向（長尺方向）における一方側を開放するようにターン部２３４で折り返された第一折り返し部２３Ａ、及び、長尺方向における他方側を開放するようにターン部２３４で折り返された第二折り返し部２３Ｂが交互に配されるよう、つづら折りされている（図７参照）。
【００３０】
負極活物質層２１２は、負極活物質と、バインダーと、を有する。
【００３１】
負極活物質は、例えば、グラファイト、難黒鉛化炭素、及び易黒鉛化炭素などの炭素材、又は、ケイ素（Ｓｉ）及び錫（Ｓｎ）などのリチウムイオンと合金化反応を生じる材料である。本実施形態の負極活物質は、グラファイトである。
【００３２】
負極活物質層２１２に用いられるバインダーは、例えば、ポリフッ化ビニリデン（ＰＶｄＦ）、エチレンとビニルアルコールとの共重合体、ポリメタクリル酸メチル、ポリエチレンオキサイド、ポリプロピレンオキサイド、ポリビニルアルコール、ポリアクリル酸、ポリメタクリル酸、スチレンブタジエンゴム（ＳＢＲ）である。本実施形態のバインダーは、ポリフッ化ビニリデンである。
【００３３】
負極活物質層２１２は、ケッチェンブラック（登録商標）、アセチレンブラック、黒鉛等の導電助剤をさらに有してもよい。本実施形態の負極活物質層２１２は、導電助剤を有していない。
【００３４】
第一折り返し部２３Ａは、内側の面である谷折り面２３１及び外側の面（谷折り面２３１と反対側の面）である山折り面２３２をそれぞれ有し且つ谷折り面２３１同士を対向させた一対の平坦部２３３と、一対の平坦部２３３の端部同士を接続するターン部２３４と、を含む。第二折り返し部２３Ｂも、第一折り返し部２３Ａと同様の構成を有する。
【００３５】
ターン部２３４は、図１１にも示すように、負極２１０における平坦部２３３を除いた領域（図１１における境界αよりも外側の部分）である。本実施形態のターン部２３４では、山折り面（外周面）及び谷折り面（内周面）はいずれも、Ｘ軸方向における中央に位置する平坦な部分と、この平坦な部分の両側に位置し湾曲した部分とを有する。
【００３６】
本実施形態の負極２１０は、ターン部２３４を反対に向けた状態で隣り合う第一折り返し部２３Ａ及び第二折り返し部２３Ｂ同士がその一部（平坦部２３３）を共通させた状態で連続するつづら折り状態（蛇腹状）である。即ち、図７において、第一折り返し部２３Ａに着目したときに、第一折り返し部２３Ａと、その隣（図７における下側）の第二折り返し部２３Ｂとでは、第一折り返し部２３Ａのターン部２３４と、第二折り返し部２３Ｂのターン部２３４との間の平坦部２３３Ａ、２３３Ｂを共通させている。
【００３７】
具体的には、負極２１０では、帯状の負極２１０が長尺方向において所定間隔で交互に折り返されることによって、平坦部２３３とターン部２３４とが交互に形成されている。即ち、長尺な負極２１０が、図６に示す長手方向に所定間隔で交互に設定された山折り線２１Ａの位置と谷折り線２１Ｂの位置とで山折り及び谷折りが交互に繰り返されることによって、つづら折り状態となる。これにより、負極２１０は、複数の平坦部２３３と複数のターン部２３４とを有し、複数の平坦部２３３のそれぞれは、平行若しくは略平行に並び、複数のターン部２３４のそれぞれは、隣り合う平坦部２３３の長尺方向の一端側の端部同士と他端側の端部同士とを交互に接続している。
【００３８】
以下では、第二部材２２が並ぶ方向を直交座標系におけるＸ軸方向とし、平坦部２３３に対してターン部２３４が配置されている方向（図５における左右方向）を直交座標系におけるＹ軸方向（第一方向）とし、Ｙ軸方向及び複数の第二部材２２が並ぶ方向のいずれにも直交する方向（負極２１０の折目（山折り線２１Ａ、谷折り線２１Ｂ）方向）を直交座標系のＺ軸方向（第二方向）とする。
【００３９】
複数の平坦部２３３のそれぞれは、図７及び図８に示すように、矩形状の平坦部本体２３３１と、平坦部本体２３３１の矩形状の輪郭を構成する一辺から突出する（本実施形態の例では、Ｚ軸方向の端縁からＺ軸方向に延びる負極タブ２３３２と、を有する。本実施形態の平坦部本体２３３１は、Ｙ軸方向に長い矩形状である。平坦部本体２３３１では、金属箔２１１の両面が負極活物質層２１２に覆われ、負極タブ２３３２では、金属箔２１１が露出している。即ち、負極タブ２３３２は、負極活物質層２１２を有しない。
【００４０】
つづら折り状態の負極２１０において、各平坦部２３３の負極タブ２３３２は、Ｘ軸方向から見て重なっている。本実施形態の負極２１０では、各負極タブ２３３２は、平坦部本体２３３１のＺ軸方向の一方（図７における上側）の端縁におけるＹ軸方向の他方側（図７における右側）の端部からＺ軸方向に延びている。この複数の平坦部本体２３３１のそれぞれから延びている負極タブ２３３２は、束ねられ、集電体６を介して外部端子５と接続されている（図３参照）。本実施形態の負極タブ２３３２の束は、集電体６に溶接されている。
【００４１】
複数のターン部２３４のそれぞれは、つづら折り状態の負極２１０において、Ｚ軸方向に延びる軸を折り返し軸２３４Ｓ（図７参照）として帯状の負極２１０が旋回している（換言すると、折り返し軸２３４Ｓに沿った折目が形成されるように折り返されている）部位である。このターン部２３４においても、金属箔２１１の両面が負極活物質層２１２に覆われている。
【００４２】
第二部材２２は、図１１に示すように、第一折り返し部２３Ａに挟まれている第一の第二部材２２Ａと、第二折り返し部２３Ｂに挟まれている第二の第二部材２２Ｂとを含む。本実施形態の第二部材２２において、第一の第二部材２２Ａに含まれる正極２２０と、第二の第二部材２２Ｂに含まれる正極２２０とは、その形状を除く点では共通している。
【００４３】
正極２２０は、図９及び図１０にも示すように、金属箔２２２と、金属箔２２２の両面のそれぞれに重ねられる正極活物質層２２３と、を有する。即ち、正極２２０は、一つの金属箔２２２と一対の正極活物質層２２３とを有する。本実施形態の金属箔２２２は、例えば、アルミニウム箔である。この正極２２０は、セパレータ２２１に覆われた状態で、つづら折り状態の負極２１０において、Ｘ軸方向に隣り合う平坦部２３３間のそれぞれに配置されている。具体的には、正極２２０は、セパレータ２２１に覆われた状態で、第一折り返し部２３Ａ又は第二折り返し部２３Ｂに挟まれている。このため、本実施形態の電極体２は、複数の正極２２０を有している。
【００４４】
正極活物質層２２３は、正極活物質と、バインダーと、を有する。
【００４５】
本実施形態の正極活物質は、例えば、リチウム金属酸化物である。具体的に、正極活物質は、例えば、ＬｉａＭｅｂＯｃ（Ｍｅは、１又は２以上の遷移金属を表す）によって表される複合酸化物（ＬｉａＣｏｙＯ２、ＬｉａＮｉｘＯ２、ＬｉａＭｎｚＯ４、ＬｉａＮｉｘＣｏｙＭｎｚＯ２等）、ＬｉａＭｅｂ（ＸＯｃ）ｄ（Ｍｅは、１又は２以上の遷移金属を表し、Ｘは例えばＰ、Ｓｉ、Ｂ、Ｖを表す）によって表されるポリアニオン化合物（ＬｉａＦｅｂＰＯ４、ＬｉａＭｎｂＰＯ４、ＬｉａＭｎｂＳｉＯ４、ＬｉａＣｏｂＰＯ４Ｆ等）である。本実施形態の正極活物質は、ＬｉＮｉ１／３Ｃｏ１／３Ｍｎ１／３Ｏ２である。
【００４６】
正極活物質層２２３に用いられるバインダーは、負極活物質層２１２に用いられたバインダーと同様のものである。本実施形態のバインダーは、ポリフッ化ビニリデンである。
【００４７】
正極活物質層２２３は、ケッチェンブラック（登録商標）、アセチレンブラック、黒鉛等の導電助剤をさらに有してもよい。本実施形態の正極活物質層２２３は、導電助剤としてアセチレンブラックを有する。
【００４８】
具体的に、複数の正極２２０のそれぞれは、本体部２２４と、本体部２２４の矩形状の輪郭を構成する一辺であるＺ軸方向の端縁からＺ軸方向に延びる（本実施形態の例では、Ｘ軸方向及びＹ軸方向いずれにも直交するＺ軸方向に延びる）正極タブ（タブ部）２２５と、を有する。本実施形態の本体部２２４は、Ｙ軸方向に長い矩形状であり且つ板状である。本体部２２４では、金属箔２２２の両面が正極活物質層２２３に覆われ、正極タブ２２５では、金属箔２２２が露出している。即ち、正極タブ２２５は、正極活物質層２２３を有しない。
【００４９】
本体部２２４における正極活物質層２２３は、Ｘ軸方向に対向する（詳しくは、セパレータ２２１を介して対向する）平坦部２３３の負極活物質層２１２よりＹ−Ｚ面（Ｙ軸とＺ軸とを含む平面）方向において小さい。即ち、本体部２２４の正極活物質層２２３は、全域において平坦部２３３の負極活物質層２１２と対向し、平坦部２３３の負極活物質層２１２は、周縁部を除いた領域において本体部２２４の正極活物質層２２３と対向する。本体部２２４のＺ軸方向における寸法は、負極２１０の平坦部２３３の寸法と比べて、例えば、２ｍｍ〜４ｍｍだけ小さい。
【００５０】
各正極２２０の正極タブ２２５は、Ｘ軸方向から見て重なっている。本実施形態の各正極２２０の正極タブ２２５は、Ｘ軸方向に長い矩形状である（図９、図１０参照）。各正極タブ２２５は、いずれも、同じ形状をしている。また、各正極タブ２２５は、いずれも、本体部２２４のＺ軸方向の一方（図９における上側）の端縁におけるＹ軸方向の一方側（平坦部本体２３３１に対する負極タブ２３３２の位置とは反対側：図９、図１０における左側）の端部からＺ軸方向に延びている。また、各正極タブ２２５のＹ軸方向における両端縁は、いずれも、Ｘ軸方向に延びる。本実施形態のこの複数の本体部２２４のそれぞれから延びている正極タブ２２５は、束ねられ、集電体６を介して外部端子５と接続されている（図３参照）。本実施形態の正極タブ２２５の束は、集電体６に溶接されている。
【００５１】
尚、本実施形態の正極タブ２２５は、本体部２２４のＺ軸方向の一方の端縁における第一の位置、又は、本体部２２４のＺ軸方向の一方の端縁における第二の位置からＺ軸方向に延びている。本体部２２４のＺ軸方向の一方の端縁における一方側の端部から第一の位置までの距離は、本体部２２４のＺ軸方向の一方の端縁における一方側の端部から第二の位置までの距離と異なる。
【００５２】
セパレータ２２１は、絶縁性を有する部材であり、負極２１０と正極２２０との間に配置される。これにより、電極体２において、負極２１０と正極２２０とが互いに絶縁される。また、セパレータ２２１は、ケース３内において、電解液を保持する。これにより、蓄電素子１の充放電時において、セパレータ２２１を挟んで対向する負極２１０と正極２２０との間を、リチウムイオンが移動可能となる。
【００５３】
このセパレータ２２１は、帯状であり、例えば、ポリエチレン、ポリプロピレン、セルロース、ポリアミドなどの多孔質膜によって構成される。本実施形態のセパレータ２２１は、ＳｉＯ２粒子、Ａｌ２Ｏ３粒子、ベーマイト（アルミナ水和物）等の無機粒子を含んだ無機層を、多孔質膜によって形成された基材の上に設けることで形成されている。本実施形態のセパレータ２２１の基材は、例えば、ポリエチレンによって形成される。
【００５４】
本実施形態のセパレータ２２１は、上述のように、正極２２０を覆っている。具体的に、セパレータ２２１は、本体部２２４全体をＸ軸方向に挟み込むように覆っている。この正極２２０を挟み込んだ状態のセパレータ２２１は、Ｘ軸方向から見て矩形状であり、Ｚ軸方向の寸法は、負極２１０の平坦部２３３の寸法より大きく、Ｙ軸方向の寸法は、平坦部２３３の寸法と比べて小さい。尚、この正極２２０を挟み込んだ状態のセパレータ２２１が、第二部材２２である。
【００５５】
また、本実施形態のセパレータ２２１は、折り曲げ部２２１０を有する。具体的に、セパレータ２２１の折り曲げ部２２１０は、矩形状のものを、間に正極２２０を挟み込むようにして長尺方向の中央部で折り曲げられることで形成される。さらに、本実施形態のセパレータ２２１は、折目方向の両端縁（二辺）が接合（接着、溶着等）されている。
【００５６】
本実施形態のセパレータ２２１のうちＹ軸方向における他方側に折り曲げ部２２１０が配されたセパレータ２２１では、セパレータ２２１の折り曲げ部２２１０の谷折り面に、正極２２０のＹ軸方向における他方側の端部２２０Ａが当接している（図９参照）。また、本実施形態のセパレータ２２１のうちＹ軸方向における一方側に折り曲げ部２２１０が配されたセパレータ２２１では、セパレータ２２１の折り曲げ部２２１０の谷折り面に、正極２２０のＹ軸方向における一方側の端部２２０Ｂが当接している（図１０参照）。
【００５７】
尚、本実施形態の折り曲げ部２２１０は、セパレータ２２１における平坦な部分を除いた領域である。また、本実施形態の折り曲げ部２２１０の山折り面は、図１１に示すように、Ｘ軸方向における中央に位置する平坦な部分と、この平坦な部分の両側に位置し湾曲した部分とを有する。折り曲げ部２２１０の谷折り面は、全体的に平坦である。
【００５８】
本実施形態のセパレータ２２１は、図４に示すように、折り曲げ部２２１０に加えて、本体部２２４の表面を覆う第一被覆部２２１１と、本体部２２４の裏面を覆う第二被覆部２２１２と、を含むと共に、第一被覆部２２１１及び第二被覆部２２１２からそれぞれ一方側に延び且つ本体部２２４の一方側の端縁２２４Ｂよりも外側に位置する部位同士を重ねた状態で接合した第一出代部２２１３、又は、第一被覆部２２１１及び前記第二被覆部２２１２からそれぞれ他方側に延び本体部２２４の他方側の端縁２２４Ａよりも外側に位置する部位同士を重ねた状態で接合した第二出代部２２１４も含む。
【００５９】
尚、セパレータ２２１の第一被覆部２２１１及び第二被覆部２２１２は、Ｘ軸方向から見て矩形状であり、このＺ軸方向の寸法は、正極２２０の本体部２２４の寸法と略同じであり、このＹ軸方向の寸法は、正極２２０の本体部２２４の寸法と比べて大きい。
【００６０】
また、セパレータ２２１が正極２２０を挟み込んだ状態において、正極タブ２２５が、折り返されたセパレータ２２１から突出し、セパレータ２２１における折目方向の両端縁（二辺）の接合は、正極タブ２２５を避けて行われている。また、第一出代部２２１３のＹ軸方向における寸法及び第二出代部２２１４のＹ軸方向における寸法は、いずれも、セパレータ２２１の厚みよりも大きい（図１１参照）。さらに、正極２２０は金属箔２２２を含み、セパレータ２２１が金属箔２２２のような金属材料を含まないため、正極２２０はセパレータ２２１よりも硬い。尚、本実施形態の電極体２では、セパレータ２２１が正極２２０を挟み込んだ状態で、この両端縁（セパレータ２２１の両端縁）が接合されているため、各第二部材２２は、自身との相対位置を固定した状態で正極２２０を含んでいる。
【００６１】
尚、第一出代部２２１３のＹ軸方向における寸法は、第一出代部２２１３におけるＹ軸方向における両端縁間の距離である。第二出代部２２１４のＹ軸方向における寸法も、同様である。
【００６２】
本実施形態の電極体２では、Ｙ軸方向において、第一の第二部材２２Ａの他方側の端部２２Ｃが、第一折り返し部２３Ａのターン部２３４に当接している。具体的には、Ｙ軸方向において、セパレータ２２１の谷折り面に正極２２０の他方側の端部２２０Ａが当接された折り曲げ部２２１０の山折り面は、第一折り返し部２３Ａのターン部２３４の谷折り面に当接している。また、本実施形態の電極体２では、第二の第二部材２２Ｂの一方側の端部２２Ｄは、第二折り返し部２３Ｂのターン部２３４に当接している。具体的には、Ｙ軸方向において、セパレータ２２１の谷折り面に正極２２０の一方側の端部２２０Ｂが当接された折り曲げ部２２１０の山折り面は、第二折り返し部２３Ｂのターン部２３４の谷折り面に当接している。このように第一の第二部材２２Ａ及び第二の第二部材２２Ｂが、第一折り返し部２３Ａ又は第二折り返し部２３Ｂに当接した状態で、Ｘ軸方向に隣り合う平坦部２３３間のそれぞれに配置されることにより、正極２２０が、負極２１０の平坦部２３３の各面と対向した状態となる。
【００６３】
本実施形態の電極体２では、第一の第二部材２２Ａの形状と第二の第二部材２２Ｂの形状とは同じである。そのため、本実施形態の各第二部材２２のＹ軸方向における寸法は同じである。
【００６４】
また、本実施形態の電極体２では、第二部材２２のＹ軸方向における両端縁が、第一折り返し部２３Ａのターン部２３４の谷折り面及び第二折り返し部２３Ｂのターン部２３４谷折り面（負極２１０における平坦部２３３とターン部２３４との境界α）よりも内側に位置する。換言すると、本実施形態の電極体２では、正極２２０のＹ軸方向における寸法は、第一折り返し部２３Ａのターン部２３４の谷折り面から第二折り返し部２３Ｂのターン部２３４の谷折り面までのＹ軸方向における距離よりも小さい。
【００６５】
また、本実施形態の電極体２では、図１２に示すように、Ｙ軸方向において、第一の第二部材２２Ａにおける他方側の端縁２２Ｅから正極タブ２２５の中心２２５Ｃまでの距離をＬ１とし、第二の第二部材２２Ｂにおける一方側の端縁２２Ｆから正極タブ２２５の中心２２５Ｃまでの距離をＬ２とし、第一折り返し部２３Ａのターン部２３４の谷折り面から第二折り返し部２３Ｂのターン部２３４の谷折り面までの距離をＬ３とし、正極タブ２２５のＹ軸方向における幅をＴ１としたとき、以下の数式を満たす。
Ｌ３＞Ｔ１
Ｌ３−Ｔ１＜Ｌ１＋Ｌ２＜Ｌ３＋Ｔ１
【００６６】
電極体２が上記数式を満たすことで、正極タブ２２５の少なくとも一部は、Ｘ軸方向から見て重なる。尚、図１２では、正極タブ２２５の位置を明らかにするため、正極タブ２２５を黒色で塗って示している。
【００６７】
また、正極タブ２２５の接合部のＹ軸方向における幅をＴ２とした場合、以下の数式を満たすことで、Ｙ軸方向において、正極タブ２２５の接合部の全体を正極タブ２２５と重なる大きさとすることができる。
Ｌ３＞（Ｔ１−Ｔ２）
Ｌ３−（Ｔ１−Ｔ２）＜Ｌ１＋Ｌ２＜Ｌ３＋（Ｔ１−Ｔ２）
尚、正極タブ２２５のＹ軸方向における幅Ｔ１は、例えば、５ｍｍ〜１５ｍｍ程度である。正極タブ２２５の接合部のＹ軸方向における幅Ｔ２は、例えば、１ｍｍ〜５ｍｍ程度である。
【００６８】
具体的に、本実施形態の電極体２では、図１２に示すように、Ｙ軸方向において、第一の第二部材２２Ａにおける他方側の端縁２２Ｅから正極タブ２２５の中心２２５Ｃまでの距離Ｌ１と、第二の第二部材２２Ｂにおける一方側の端縁２２Ｆから正極タブ２２５の中心２２５Ｃまでの距離Ｌ２との和が、第一折り返し部２３Ａのターン部２３４の谷折り面から第二折り返し部２３Ｂのターン部２３４の谷折り面までの距離Ｌ３と等しい。尚、「Ｌ１とＬ２との和がＬ３と等しい」とは、Ｌ１とＬ２との和に製造誤差（０．５ｍｍ以内）を考慮した値がＬ３に等しい場合も含む。「Ｌ１とＬ２との和がＬ３と等しい」構成とすることにより、複数の正極タブ２２５同士が重なる面積を最大化することができるため、電極体２の電気抵抗を小さくすることができる。
【００６９】
本実施形態の第一の第二部材２２Ａの山折り面及び第二の第二部材２２Ｂの山折り面は、セパレータ２２１の端縁であり、上述のように、Ｘ軸方向における中央に位置する平坦な部分と、この平坦な部分の両側に位置し湾曲した部分とを有する。また、本実施形態の第一の第二部材２２Ａにおける他方側の端縁２２Ｅから正極タブ２２５の中心２２５Ｃまでの距離Ｌ１、及び、第二の第二部材２２Ｂにおける一方側の端縁２２Ｆから正極タブ２２５の中心２２５Ｃまでの距離Ｌ２は、いずれも、セパレータ２２１の一方側の端縁又はセパレータ２２１の一方側の端縁における中央に位置する平坦な部分から正極タブ２２５の中心２２５Ｃ（正極タブ２２５のＹ軸方向における中心２２５Ｃ）までの距離である。
【００７０】
尚、本実施形態の第一の第二部材２２Ａにおける他方側の端縁２２Ｅから正極タブ２２５の中心２２５Ｃまでの距離Ｌ１、及び、第二の第二部材２２Ｂにおける一方側の端縁２２Ｆから正極タブ２２５の中心２２５Ｃまでの距離Ｌ２は、正極タブ２２５のＹ軸方向における形成位置を異ならせることにより（具体的に、本体部２２４のＺ軸方向の一方の端縁における一方側の端部から正極タブ２２５が形成される第一の位置までの距離と、本体部２２４のＺ軸方向の一方の端縁における一方側の端部から正極タブ２２５が形成される第二の位置までの距離と、を異ならせることにより）、異ならせることができる。
【００７１】
また、本実施形態の正極タブ２２５の中心は、正極タブ２２５のＹ軸方向における両端縁を基準とした中心（この両端縁からのＹ軸方向における距離が等しくなる中心）である。
【００７２】
図１〜図３に戻り、ケース３は、開口を有するケース本体３１と、ケース本体３１の開口を塞ぐ（閉じる）蓋板３２と、を有する。このケース３では、ケース本体３１と蓋板３２とによって内部空間が画定される。ケース３は、この内部空間に、電極体２と共に電解液を収容する。このため、ケース３は、電解液に耐性を有する金属によって形成される。本実施形態のケース３は、例えば、アルミニウム、又は、アルミニウム合金等のアルミニウム系金属材料によって形成される。
【００７３】
ケース本体３１は、板状の閉塞部３１１と、閉塞部３１１の周縁に接続される筒状の胴部（周壁）３１２と、を備える（図２参照）。
【００７４】
閉塞部３１１は、ケース本体３１が開口を上に向けた姿勢で配置されたときにケース本体３１の下端に位置する（即ち、前記開口が上を向いたときのケース本体３１の底壁部となる）部位である。本実施形態の閉塞部３１１は、矩形状である。
【００７５】
胴部３１２は、角筒形状、より詳しくは、偏平な角筒形状を有する。胴部３１２は、閉塞部３１１の周縁における長辺から延びる一対の長壁部３１３と、閉塞部３１１の周縁における短辺から延びる一対の短壁部３１４とを有する。短壁部３１４が一対の長壁部３１３の対応（詳しくは、Ｘ軸方向に対向）する端部同士をそれぞれ接続することによって、角筒状の胴部３１２が形成される。
【００７６】
以上のように、ケース本体３１は、開口方向（Ｚ軸方向）における一方の端部が塞がれた角筒形状（即ち、有底角筒形状）を有する。このケース本体３１には、負極２１０の各平坦部２３３が長壁部３１３と平行（略平行）となる（即ち、各ターン部２３４が短壁部３１４と対向する）ように、電極体２が収容される。
【００７７】
蓋板３２は、ケース本体３１の開口を塞ぐ部材である。この蓋板３２の輪郭形状は、ケース本体３１の開口周縁部３１０に対応した形状である。即ち、蓋板３２は、Ｘ軸方向に長い矩形状の板材である。
【００７８】
絶縁部材４は、電極体２の少なくとも一部を覆っている。本実施形態の絶縁部材４は、非多孔性のシートであり、絶縁性を有する樹脂によって形成されている。例えば、絶縁部材４は、ポリエチレン、ポリスチレン、ポリフェニレンサルファイド等によって形成されている。具体的に、絶縁部材４は、所定の形状に裁断された絶縁性を有するシート状の部材を折り曲げることによって蓋板３２側が開口した袋状に形成されている。
【００７９】
また、本実施形態の絶縁部材４は、ケース本体３１に沿った形の袋状である。この袋状の絶縁部材４には、負極２１０の各平坦部２３３が絶縁部材４における長壁部３１３と対応する部位（Ｘ軸方向に対向する壁状の部位）と略平行となり、各ターン部２３４が絶縁部材４における短壁部３１４と対応する部位（Ｙ軸方向に対向する壁状の部位）と対向するように、電極体２が収容される。本実施形態の絶縁部材４は、蓋板３２側が開口した袋状であるため、電極体２が収容された状態では、Ｚ軸方向における電極体２の一方（図２における上側）の端部を開放した状態となっている。
【００８０】
外部端子５は、他の蓄電素子の外部端子又は外部機器等と電気的に接続される部位である。このため、外部端子５は、導電性を有する部材によって形成される。また、外部端子５は、溶接性の高い金属材料によって形成される。例えば、正極の外部端子５は、アルミニウム又はアルミニウム合金等のアルミニウム系金属材料によって形成され、負極の外部端子５は、銅又は銅合金等の銅系金属材料によって形成される。本実施形態の外部端子５は、少なくとも一部がケース３の外部に露出した状態で蓋板３２に取り付けられる。
【００８１】
以上の蓄電素子１によれば、第二部材２２の端部（第一の第二部材２２Ａにおける他方側の端部２２Ｃ、第二の第二部材２２Ｂにおける一方側の端部２２Ｄ）は、第一折り返し部２３Ａ又は第二折り返し部２３Ｂのターン部２３４に当接しているため、第二部材２２がターン部２３４側に移動することを抑制できる。換言すると、第二部材２２が第一折り返し部２３Ａ又は第二折り返し部２３Ｂのターン部２３４により位置決めされているため、第一部材２１と第二部材２２とが位置ずれしにくい。
【００８２】
また、本実施形態の電極体２では、第一部材２１に対して位置決めされている第二部材２２の端縁２２Ｅ、２２Ｆを基準として正極タブ２２５の位置を定めているため、第一の第二部材２２ＡのＹ軸方向における寸法や第二の第二部材２２ＢのＹ軸方向における端部の位置にかかわらず、第一の第二部材２２Ａと第二の第二部材２２Ｂとで正極タブ２２５同士の少なくとも一部を重ねることができる。
【００８３】
より詳細に説明すると、第二部材２２の端部２２Ｃ、２２Ｄが第一折り返し部２３Ａ又は第二折り返し部２３Ｂのターン部２３４の谷折り面に当接している構成では、第一部材２１のターン部２３４の位置によって第一の第二部材２２Ａ及び第二の第二部材２２Ｂの端部２２Ｃ、２２Ｄの位置が定まることになる。このため、Ｘ軸方向から見て、第一の第二部材２２Ａの端部２２Ｃと第二の第二部材２２Ｂの端部２２Ｄとは、必ずしも一致しない。その結果、Ｘ軸方向から見て、第一の第二部材２２Ａにおける正極タブ２２５と第二の第二部材２２Ｂにおける正極タブ２２５とが重ならない場合があるという新たな課題が生じる。正極タブ２２５同士が重ならないと、正極タブ２２５同士の接合部位の面積を十分に確保できないことがある。
【００８４】
これに対して、本実施形態の電極体２では、第一の第二部材２２Ａの他方側の端縁２２Ｅ（第一折り返し部２３Ａのターン部２３４に当接させる端縁）を基準とした距離や、第二の第二部材２２Ｂの一方側の端縁２２Ｆ（第二折り返し部２３Ｂのターン部２３４に当接させる端縁）を基準とした距離に応じて正極タブ２２５の位置を定めている。具体的には、電極体２は、Ｙ軸方向において、第一の第二部材２２Ａにおける他方側の端縁２２Ｅから正極タブ２２５の中心２２５Ｃまでの距離をＬ１とし、第二の第二部材２２Ｂにおける一方側の端縁２２Ｆから正極タブ２２５の中心２２５Ｃまでの距離をＬ２とし、第一折り返し部２３Ａのターン部２３４の谷折り面から第二折り返し部２３Ｂのターン部２３４の谷折り面までの距離をＬ３とし、正極タブ２２５のＹ軸方向における幅をＴ１としたとき、以下の数式を満たす（図１２参照）。
Ｌ３＞Ｔ１
Ｌ３−Ｔ１＜Ｌ１＋Ｌ２＜Ｌ３＋Ｔ１
【００８５】
これにより、第一の第二部材２２ＡのＹ軸方向における寸法や第二の第二部材２２ＢのＹ軸方向における寸法にかかわらず、第一の第二部材２２Ａと第二の第二部材２２Ｂとで正極タブ２２５同士の少なくとも一部を重ねることができる。尚、第一折り返し部２３Ａのターン部２３４の谷折り面から第二折り返し部２３Ｂのターン部２３４の谷折り面までの距離Ｌ３は、第一折り返し部２３Ａのターン部２３４の谷折り面のうち最も内側に位置する点と、第二折り返し部２３Ｂのターン部２３４の谷折り面のうち最も内側に位置する点との間の距離である。
【００８６】
さらに、本実施形態の電極体２では、セパレータ２２１の折り曲げ部２２１０の谷折り面が、正極２２０のＹ軸方向における他方側の端部２２０Ａ又は一方側の端部２２０Ｂを位置決めしているため、負極２１０と正極２２０との位置ずれを抑制できる。
【００８７】
より詳細に説明すると、正極２２０がセパレータ２２１に挟まれ、第二部材２２のＹ軸方向における両端がセパレータ２２１の第一出代部２２１３及び第二出代部２２１４である場合には、この第二部材２２の端部を第一部材２１の第一折り返し部２３Ａや第二折り返し部２３Ｂのターン部２３４の谷折り面に当接させても、位置決めが難しく、負極２１０と正極２２０との相対位置がずれるおそれがある。尚、位置決めが難しい理由は、セパレータ２２１の第一出代部２２１３及び第二出代部２２１４は、金属材料等の硬い部位を含んでおらず比較的やわらかいことから、当接させたターン部２３４側に向かって力がかかると曲がりやすいためである。
【００８８】
これに対して、上記電極体２では、Ｙ軸方向において、谷折り面に正極２２０の端部２２０Ａ、２２０Ｂが当接されたセパレータ２２１の折り曲げ部２２１０の山折り面が、第一折り返し部２３Ａ又は第二折り返し部２３Ｂのターン部２３４の谷折り面に当接するため、セパレータ２２１の第一出代部２２１３や第二出代部２２１４が第一折り返し部２３Ａ又は第二折り返し部２３Ｂのターン部２３４の谷折り面に当接する構成よりも、正極２２０と負極２１０とが位置ずれしにくい。
【００８９】
さらに、第二部材２２における第一部材２１（第一折り返し部２３Ａ又は第二折り返し部２３Ｂのターン部２３４の谷折り面）に当接している部位周辺は、第一部材２１に囲まれているため、電解液がしみ込みにくい傾向がある。これに対して、この構成では、第二部材２２における第一部材２１（第一折り返し部２３Ａ又は第二折り返し部２３Ｂのターン部２３４の谷折り面）に当接している部位周辺は、セパレータ２２１同士の接合箇所を不要とできるため、第一出代部２２１３や第二出代部２２１４のように二枚の部材が接合された部位が当接している場合よりも、電解液がしみ込みやすい。
【００９０】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００９１】
上述したように、第二部材２２の端部２２Ｃ、２２Ｄが第一折り返し部２３Ａ又は第二折り返し部２３Ｂのターン部２３４の谷折り面に当接している構成では、第一部材２１のターン部２３４の位置（第一部材２１のターン部２３４のＹ軸方向における位置）によって第一の第二部材２２Ａ及び第二の第二部材２２Ｂの端部２２Ｃ、２２Ｄの位置が定まることになる。このため、Ｘ軸方向から見て、第一の第二部材２２Ａの一方側の端部２２Ｄと第二の第二部材２２Ｂの一方側の端部２２Ｄとは、必ずしも一致しない。その結果、Ｘ軸方向から見て、第一の第二部材２２Ａにおける正極タブ２２５と第二の第二部材２２Ｂにおける正極タブ２２５とが重ならない場合がある。これに対して、上記実施形態の蓄電素子１では、図１２に示したように、第二部材の形状を異ならせることで（例えば、第一の第二部材２２Ａの他方側の端縁２２Ｅを基準とした距離や、第二の第二部材２２Ｂの一方側の端縁２２Ｆを基準とした距離に応じて正極２２０の形状を異ならせることで）、正極タブ２２５の少なくとも一部を重ねたが、図１３に示すように、第一部材２１の折り返し部２３の谷折り面側のターン部２３４に、セパレータの第一出代部２２１３又は第二出代部２２１４を当接させると共に、ターン部２３４に当接されたセパレータ２２１の第一出代部２２１３又は第二出代部２２１４のＹ軸方向における長さを調節して正極タブ２２５同士の少なくとも一部を重ねてもよい。尚、図１３においても、正極タブ２２５の位置を明らかにするため、正極タブ２２５を黒色で塗って示している。
【００９２】
具体的に、各正極２２０の形状が同じであることにより、各正極タブ２２５は、各本体部２２４のＺ軸方向の一方の端縁のうちＹ軸方向における同一の位置からＺ軸方向に延びていてもよい。各正極２２０のＹ軸方向における寸法は、第一折り返し部２３Ａのターン部２３４の谷折り面から第二折り返し部２３Ｂのターン部２３４の谷折り面までのＹ軸方向における距離よりも狭くてもよい。さらに、第一の第二部材２２Ａにおけるセパレータ２２１の他方側の端縁２２１Ｃから正極タブ２２５までの距離（例えば、第一の第二部材２２Ａにおけるセパレータ２２１の他方側の端縁２２１Ｃから正極タブ２２５の中心２２５Ｃまでの距離Ｌ４）と、第二の第二部材２２Ｂにおけるセパレータ２２１の一方側の端縁２２１Ｄから正極タブ２２５までの距離（例えば、第二の第二部材２２Ｂにおけるセパレータ２２１の一方側の端縁２２１Ｄから正極タブ２２５の中心２２５Ｃまでの距離Ｌ５）との和が、第一折り返し部２３Ａのターン部２３４の谷折り面から第二折り返し部２３Ｂのターン部２３４の谷折り面までの距離Ｘと等しくなるよう、第一折り返し部２３Ａのターン部２３４の谷折り面に当接されたセパレータ２２１の第二出代部２２１４（第一の第二部材２２Ａの第二出代部２２１４）のＹ軸方向における寸法Ｗ２と、第二折り返し部２３Ｂのターン部２３４の谷折り面に当接されたセパレータ２２１の第一出代部２２１３（第二の第二部材２２Ｂの第一出代部２２１３）のＹ軸方向における寸法Ｗ１とを調整してもよい。
【００９３】
例えば、第一折り返し部２３Ａのターン部２３４Ａの谷折り面から第一の第二部材２２Ａの正極２２０の他端側の端縁２２０Ｃとの距離が、第二折り返し部２３Ｂのターン部２３４Ｂの谷折り面から第二の第二部材２２Ｂの正極２２０の一端側の端縁２２０Ｄとの距離と等しい場合には、第一出代部２２１３の寸法Ｗ１と第二出代部２２１４の寸法Ｗ２とを等しくすればよい。また、第一折り返し部２３Ａのターン部２３４Ａの谷折り面から第一の第二部材２２Ａの正極２２０の他端側の端縁２２０Ｃとの距離が、第二折り返し部２３Ｂのターン部２３４Ｂの谷折り面から第二の第二部材２２Ｂの正極２２０の一端側の端縁２２０Ｄとの距離よりも大きい場合には、これらの距離の差だけ、第二出代部２２１４の寸法Ｗ２を第一出代部２２１３の寸法Ｗ１よりも大きくすればよい。
【００９４】
この構成では、セパレータ２２１の第一出代部２２１３や第二出代部２２１４のＹ軸方向における寸法を調整することで、正極タブ２２５の位置を定めているため、第一の第二部材２２Ａと第二の第二部材２２Ｂとで正極タブ２２５同士の位置を揃えることができる。
【００９５】
また、図１４に示すように、Ｙ軸方向における一方側と他方側とに配置されたターン部２３４の谷折り面同士の距離及びセパレータ２２１のＹ軸方向における長さを調節して、同じ形状の正極２２０を用いつつ正極タブ２２５同士の少なくとも一部を重ねてもよい。尚、図１４においても、正極タブ２２５の位置を明らかにするため、正極タブ２２５を黒色で塗って示している。
【００９６】
この場合、各正極２２０の形状が同じであるため、各正極タブ２２５は、各本体部２２４のＺ軸方向の一方の端縁のうちＹ軸方向における同一の位置からＺ軸方向に延びていてもよい。また、第一折り返し部２３Ａのターン部２３４Ａの谷折り面と第二折り返し部２３Ｂのターン部２３４Ｂの谷折り面との間の距離）をＸとし、セパレータ２２１のＹ軸方向における長さをＹとし、正極タブ２２５の幅をＴ１としたとき、以下の数式を満たしてもよい。
２Ｘ＞Ｔ１
Ｘ−（Ｔ１／２）＜Ｙ＜Ｘ＋（Ｔ１／２）
【００９７】
尚、第一折り返し部２３Ａのターン部２３４の谷折り面から第二折り返し部２３Ｂのターン部２３４の谷折り面までの距離Ｘは、第一折り返し部２３Ａのターン部２３４の谷折り面のうち最も内側に位置する点と、第二折り返し部２３Ｂのターン部２３４の谷折り面のうち最も内側に位置する点との間の距離である。また、セパレータ２２１のＹ軸方向における長さＹは、セパレータ２２１のＹ軸方向における一方側の端縁と他方側の端縁との距離である。
【００９８】
この構成では、第一折り返し部２３Ａと第二折り返し部２３Ｂの谷折り面同士の距離に応じてセパレータ２２１のＹ軸方向における長さを調整することで、異なる形状の正極２２０を用いることなく、第一の第二部材２２Ａと第二の第二部材２２Ｂとで正極タブ２２５同士の少なくとも一部を重ねることができる。
【００９９】
また、この場合、正極タブ２２５の接合部のＹ軸方向における幅をＴ２とすると、以下の数式を満たすことで、Ｙ軸方向において、正極タブ２２５の接合部の全体を正極タブ２２５と重なる大きさとすることができる。
２Ｘ＞（Ｔ１−Ｔ２）
Ｘ−｛（Ｔ１−Ｔ２）／２｝＜Ｙ＜Ｘ＋｛（Ｔ１−Ｔ２）／２｝
【０１００】
さらに、この場合、「ＹがＸと等しい」構成とすることにより、複数の正極タブ２２５同士が重なる面積を最大化することができるため、電極体２の電気抵抗を小さくすることができる。「ＹがＸと等しい」とは、Ｙに製造誤差（０．５ｍｍ以内）を考慮した値がＸに等しい場合も含む。
【０１０１】
さらに、セパレータ２２１の折り曲げ部２２１０がケース３の内部に当接していてもよい。
【０１０２】
具体的には、電極体２では、図１５に示すように、セパレータ２２１の折り曲げ部２２１０の谷折り面は、正極２２０の本体部２２４における正極タブ２２５が突出する側と反対側の端部２２０Ｆを覆ってもよい。
【０１０３】
この場合、図１６に示すように、第一の第二部材２２Ａのセパレータ２２１における正極タブ２２５が突出する側と反対側の端部２２１５から正極タブ２２５が突出する位置２２１６（例えば、正極タブ２２５が突出する側の端縁２２１６）までのＺ軸方向における寸法Ｌ６は、第二の第二部材２２Ｂのセパレータ２２１における正極タブ２２５が突出する側と反対側の端部２２１５から正極タブ２２５が突出する位置２２１６までのＺ軸方向における寸法Ｌ６と同じであってもよい。また、この場合、第一の第二部材２２Ａの正極タブ２２５の突出量２２５Ａ（例えば、セパレータ２２１における正極タブ２２５が突出する側の端縁２２１６から正極タブ２２５における本体部２２４と反対側の端縁２２５ＢまでのＺ軸方向における寸法）は、第二の第二部材２２Ｂの正極タブ２２５の突出量２２５Ａと同じであってもよい。この場合、電極体２は、前記セパレータ２２１の折り曲げ部２２１０の山折り面をケース３の内面に直接または間接に当接させた状態で、ケース３内に配置されてもよい。また、第一部材２１のＺ軸方向における端部も、ケース３の内面に直接または間接に当接させた状態で、ケース３内に配置されてもよい。
【０１０４】
この電極体２では、セパレータ２２１の正極タブ２２５が突出する側と反対側の端部２２１５（折り曲げ部２２１０）は、ケース３の内部に当接しているため、正極２２０の正極タブ２２５のＺ軸方向における位置を揃えることができる。
【０１０５】
具体的に、この電極体２では、セパレータ２２１の折り曲げ部２２１０は、正極２２０におけるケース３の閉塞部３３１側の端縁（図９、図１０等における下側の端縁）を覆っていてもよい。
【０１０６】
より詳細に説明すると、ケース３内に電極体２及び電解液を収容した蓄電素子１において、正極２２０がセパレータ２２１に挟まれる場合、セパレータ２２１の折目方向の両端縁（二辺）の接合箇所に隙間が存在し、且つ、この隙間が正極２２０におけるケース３の閉塞部３１１側の端部の周辺に位置していると、ケース３の閉塞部３１１と正極２２０とがセパレータ２２１の隙間を介して導通して電流集中が生じる場合があった。
【０１０７】
これに対して、電極体２では、図１４に示すように、セパレータ２２１の折り曲げ部２２１０の谷折り面は、正極２２０の本体部２２４におけるケース３の閉塞部３３１側に位置する端部２２０Ｆを覆ってもよい。この場合、電極体２は、前記セパレータ２２１の折り曲げ部２２１０の山折り面をケース３の閉塞部３３１に当接させた状態で、ケース３内に配置されてもよい。
【０１０８】
この電極体２では、ケース３の閉塞部３１１と正極２２０の端部２２０Ｆとの間にセパレータ２２１の折り曲げ部２２１０の折り目部位が介在しているため、この周辺（ケース３の閉塞部３１１と正極２２０の端部２２０Ｆとの間の周辺）にセパレータ２２１の接合箇所が存在しない。その結果、ケース３の閉塞部３１１と正極２２０との導通が抑制される。
【０１０９】
また、上述したように、第二部材２２の端部２２Ｃ、２２Ｄが第一折り返し部２３Ａ又は第二折り返し部２３Ｂのターン部２３４の谷折り面に当接している構成では、第一部材２１のターン部２３４の位置によって第一の第二部材２２Ａ及び第二の第二部材２２Ｂの端部２２Ｃ、２２Ｄの位置が定まることになる。このため、Ｘ軸方向から見て、第一の第二部材２２Ａの端部２２Ｃと第二の第二部材２２Ｂの端部２２Ｄとは、必ずしも一致しない。その結果、Ｘ軸方向から見て、第一の第二部材２２Ａにおける正極タブ２２５と第二の第二部材２２Ｂにおける正極タブ２２５とが重ならない場合がある。これに対して、上記実施形態の蓄電素子１では、図１２や図１３に示すような構成により、正極タブ２２５を重ねていたが、別の基準に応じて正極タブ２２５を重ねてもよい。
【０１１０】
具体的に、図１７に示すように、Ｙ軸方向において、第一の第二部材２２Ａの正極２２０と第二の第二部材２２Ｂの正極２２０とで、他方側の端縁２２０Ｃ同士の位置が異なると共に、第二部材２２の各々において正極２２０のＹ軸方向における寸法は等しく、正極２２０は、第一折り返し部２３Ａのターン部２３４の谷折り面と第二折り返し部２３Ｂのターン部２３４の谷折り面との間に（図１１における境界αの内側に）配置されてもよい。この場合、第一の第二部材２２Ａにおいて、正極タブ２２５（例えば、正極タブ２２５の中心２２５Ｃ）は、第一の第二部材２２Ａにおける正極２２０の他方側の端縁２２Ｅと第一の第二部材２２Ａにおける正極２２０の一方側の端縁２２０Ｄとの中心２２Ｇから一方側にずれており、正極タブ２２５のずれ量をＡとし、第一の第二部材２２Ａにおける正極２２０の他方側の端縁２２０Ｃと第二の第二部材２２Ｂにおける正極２２０の他方側の端縁２２０Ｃとの距離をＢとし、正極タブ２２５の幅をＴ１としたとき、以下の数式を満たしてもよい。
Ｂ＞Ｔ１（Ｂ／２）−（Ｔ１／２）＜Ａ＜（Ｂ／２）＋（Ｔ１／２）
また、第二の第二部材２２Ｂにおける正極２２０の形状は、第一の第二部材２２Ａにおける正極２２０の形状を反転させた形状と同一であってもよい。換言すると、第二の第二部材２２Ｂにおいて、正極タブ２２５（例えば、正極タブ２２５の中心２２５Ｃ）は、第二の第二部材２２Ｂにおける正極２２０の一方側の端縁２２０Ｄと第二の第二部材２２Ｂにおける正極２２０の他方側の端縁２２０Ｃとの中心２２Ｈから他方側にずれており、正極タブ２２５のずれ量をＣとし、第一の第二部材２２Ａにおける正極２２０の一方側の端縁２２０Ｄと第二の第二部材２２Ｂにおける正極２２０の一方側の端縁２２０Ｄとの距離をＤとし、正極タブ２２５の幅をＴ１としたときに、以下の数式を満たしてもよい。
Ｄ＞Ｔ１
（Ｄ／２）−（Ｔ１／２）＜Ｃ＜（Ｄ／２）＋（Ｔ／２）
尚、図１８においても、正極タブ２２５の位置を明らかにするため、正極タブ２２５を黒色で塗って示している。
【０１１１】
また、正極タブ２２５の接合部のＹ軸方向における幅をＴ２とすると、以下の数式を満たすことで、Ｙ軸方向において、正極タブ２２５の接合部の全体を正極タブ２２５と重なる大きさとすることができる。
Ｂ＞Ｔ１−Ｔ２
（Ｂ／２）−｛（Ｔ１−Ｔ２）／２｝＜Ｃ＜（Ｂ／２）＋｛（Ｔ１−Ｔ２）／２｝
【０１１２】
この場合、第一の第二部材２２Ａ及び第二の第二部材２２Ｂにおいて、異なる形状の正極２２０を用いることなく、第一の第二部材２２Ａの正極２２０及び第二の第二部材２２Ｂの正極２２０で正極タブ２２５を重ねることができる。
【０１１３】
さらに、この場合、「Ｃが（Ｂ／２）と等しい」構成とすることにより、複数の正極タブ２２５同士が重なる面積を最大化することができるため、電極体２の電気抵抗を小さくすることができる。「Ｃが（Ｂ／２）と等しい」とは、Ｃに製造誤差（０．５ｍｍ以内）を考慮した値が（Ｂ／２）に等しい場合も含む。
【０１１４】
上記実施形態の折り返し部２３のターン部２３４における山折り面及び谷折り面はいずれも、Ｘ軸方向における中央に位置する平坦な部分と、この平坦な部分の両側に位置し湾曲した部分とを有していたが、山折り面及び谷折り面の少なくとも一方が、全体的に湾曲していてもよい。例えば、ターン部２３４の谷折り面が全体的に湾曲している場合、第一折り返し部２３Ａのターン部２３４の谷折り面から第二折り返し部２３Ｂのターン部２３４の谷折り面までの距離は、第一折り返し部２３Ａのターン部２３４の谷折り面のうち最も外側に位置する点と、第二折り返し部２３Ｂのターン部２３４の谷折り面のうち最も外側に位置する点との距離であってもよい。
【０１１５】
また、上記実施形態の図１２、図１３、図１７では、正極タブ２２５の位置を、正極タブ２２５の中心Ｃを定めることで定めたが、正極タブ２２５の位置を、正極タブ２２５のＹ軸方向における端縁等で定めてもよい。
【０１１６】
例えば、図１２の代わりに、Ｙ軸方向において、第一の第二部材２２Ａにおける他方側の端縁２２Ｅから正極タブ２２５の他方側の端縁までの距離と、第二の第二部材２２Ｂにおける一方側の端縁２２Ｆから正極タブ２２５の他方側の端縁までの距離との和、又は、第一の第二部材２２Ａにおける他方側の端縁２２Ｅから正極タブ２２５の一方側の端縁までの距離と、第二の第二部材２２Ｂにおける一方側の端縁２２Ｆから正極タブ２２５の一方側の端縁までの距離との和、或いは、第一の第二部材２２Ａにおける他方側の端縁２２Ｅから正極タブ２２５の他方側の端縁までの距離と、正極タブ２２５における一方側の端縁から他方側の端縁までの距離と、第二の第二部材２２Ｂにおける一方側の端縁２２Ｆから正極タブ２２５の他方側の端縁までの距離との和が、第一折り返し部２３Ａのターン部２３４の谷折り面から第二折り返し部２３Ｂのターン部２３４の谷折り面までの距離と等しくてもよい。
【０１１７】
例えば、図１３の代わりに、Ｙ軸方向において、第一の第二部材２２Ａにおけるセパレータ２２１の他方側の端縁２２１Ｃからの正極タブ２２５の他方側の端縁までの距離と、第二の第二部材２２Ｂにおけるセパレータ２２１の一方側の端縁２２１Ｄから正極タブ２２５の他方側の端縁までの距離との和、又は、第一の第二部材２２Ａにおけるセパレータ２２１の他方側の端縁２２１Ｃからの正極タブ２２５の一方側の端縁までの距離と、第二の第二部材２２Ｂにおけるセパレータ２２１の一方側の端縁２２１Ｄから正極タブ２２５の一方側の端縁までの距離との和、或いは、第一の第二部材２２Ａにおけるセパレータ２２１の他方側の端縁２２１Ｃからの正極タブ２２５の他方側の端縁までの距離と、正極タブ２２５における一方側の端縁から他方側の端縁までの距離と、第二の第二部材２２Ｂにおけるセパレータ２２１の一方側の端縁２２１Ｄから正極タブ２２５の他方側の端縁までの距離との和が、第一折り返し部２３Ａのターン部２３４の谷折り面から第二折り返し部２３Ｂのターン部２３４の谷折り面までの距離と等しくなるよう、第一の第二部材２２Ａの第二出代部２２１４のＹ軸方向における寸法と、第二の第二部材２２Ｂの第一出代部２２１３のＹ軸方向における寸法と、を定めてもよい。
【０１１８】
例えば、図１７の代わりに、第一の第二部材２２Ａにおいて、正極タブ２２５の一方側の端縁又は他方側の端縁は、第一の第二部材２２Ａにおける正極２２０他方側の端縁２２０Ｃと第一の第二部材２２Ａにおける正極２２０の一方側の端縁２２０Ｄとの中心２２Ｇから、第一の第二部材２２Ａにおける正極２２０の他方側の端縁２２０Ｃと第二の第二部材２２Ｂにおける正極２２０の他方側の端縁２２０Ｃとの距離Ｂの半分だけ一方側にずれており、第二の第二部材２２Ｂにおいて、正極タブ２２５の一方側の端縁又は他方側の端縁は、第二の第二部材２２Ｂにおける正極２２０の一方側の端縁２２０Ｄと第二の第二部材２２Ｂにおける正極２２０の他方側の端縁２２０Ｃとの中心２２Ｈから、第一の第二部材２２Ａにおける正極２２０の他方側の端縁２２０Ｃと第二の第二部材２２Ｂにおける正極２２０の他方側の端縁２２０Ｃとの距離Ｄの半分だけ他方側にずれていてもよい。
【０１１９】
また、上記実施形態の蓄電素子１では、各第二部材２２のＹ軸方向における寸法は、同じであったが、これは異なっていてもよい。また、上記実施形態の蓄電素子１では、第二部材２２は、Ｙ軸方向の各端縁が負極の平坦部２３３とターン部２３４との境界αよりも内側に位置していたが、第二部材２２は、Ｙ軸方向の各端縁が負極の平坦部２３３とターン部２３４との境界αに位置してもよいし、Ｙ軸方向の各端縁が負極の平坦部２３３とターン部２３４との境界αよりも外側に位置してもよい。換言すると、正極２２０のＹ軸方向における寸法は、第一折り返し部２３Ａの谷折り面側のターン部２３４から第二折り返し部２３Ｂの谷折り面側のターン部２３４までのＹ軸方向における距離よりも狭かったが、第一折り返し部２３Ａの谷折り面側のターン部２３４から第二折り返し部２３Ｂの谷折り面側のターン部２３４までのＹ軸方向における距離と同じであってもよいし、この距離より広くてもよい。
【０１２０】
さらに、上記実施形態の正極タブ２２５は、Ｘ軸方向に長い矩形状であったが、Ｙ軸方向に長い矩形状や正方形状等その他の形状であってもよい。また、上記実施形態の正極タブ２２５同士は、一箇所で接合されていたが、複数箇所で接合されていてもよい。尚、各正極タブ２２５の面積は、接合箇所よりも広いことが好ましい。また、各正極タブ２２５同士は、溶着等により接合される代わりに、クリップ等により束ねられていてもよい。
【０１２１】
上記実施形態のセパレータ２２１は、折り曲げ部２２１０を含んでいたが、折り曲げ部２２１０を含まない構成、例えば、第一被覆部２２１１を含むシート状の第一部材と、第二被覆部２２１２を含むシート状の第二部材とを接合して形成された構成であってもよい。この場合においても、セパレータ２２１は、第一出代部２２１３及び第二出代部２２１４を含んでいてもよい。また、セパレータ２２１同士は接合されていなくてもよい。
【０１２２】
また、上記実施形態の折り曲げ部２２１０の山折り面は、全体的に湾曲していてもよい。この場合、セパレータ２２１の折り曲げ部を含む端縁は、折り曲げ部２２１０の山折り面のうち最も外側に位置する点であってもよい。さらに、上記実施形態の折り曲げ部２２１０の谷折り面は、全体的に湾曲していてもよく、Ｘ軸方向における中央に位置する平坦な部分と、この平坦な部分の両側に位置し湾曲した部分とを有してもよい。
【０１２３】
上記実施形態の蓄電素子１では、第一部材２１が負極２１０で構成され、第二部材２２が正極２２０及びセパレータ２２１で構成されていたが、セパレータ２２１は第一部材２１に含まれていてもよい。この場合、セパレータ２２１は、負極２１０と同様のつづら折り状（複数の折り返し部を有するつづら折り状）であってもよい。長尺な電極に沿ってセパレータ２５が配置される場合には、該セパレータ２５は、第一部材２１に含まれ、矩形状の電極に沿ってセパレータ２５が配置される場合には、該セパレータ２５は、第二部材２２に含まれる。
【０１２４】
また、上記実施形態の蓄電素子１では、正極２２０を挟み込んだ状態のセパレータ２２１は、Ｘ軸方向から見て矩形状であり、Ｚ軸方向の寸法は、負極２１０の平坦部２３３の寸法より大きく、Ｙ軸方向の寸法は、平坦部２３３の寸法と比べて小さかったが、Ｚ軸方向の寸法は、負極２１０の平坦部２３３の寸法と比べて略同じ又は小さくてもよく、Ｙ軸方向の寸法は、平坦部２３３の寸法と比べて略同じであってもよい。
【０１２５】
さらに、上記実施形態の蓄電素子１では、負極２１０が複数の折り返し部２３を有するつづら折り状態であり、正極２２０が短冊状であるが、互いが逆の構成、即ち、正極２２０が複数の折り返し部２３を有するつづら折り状態であり、負極２１０が短冊状でもよい。
【０１２６】
上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【０１２７】
蓄電素子（例えば電池）１は、図１８に示すような蓄電装置（蓄電素子が電池の場合は電池モジュール）１１に用いられてもよい。蓄電装置１１は、少なくとも二つの蓄電素子１と、二つの（異なる）蓄電素子１同士を電気的に接続するバスバ部材１２と、を有する。この場合、本発明の技術が少なくとも一つの蓄電素子１に適用されていればよい。
【符号の説明】
【０１２８】
１…蓄電素子、２…電極体、２１…第一部材、２１Ａ…山折り線、２１Ｂ…谷折り線、２１０…負極（第一の電極）、２１１…金属箔、２１２…負極活物質層、２２…第二部材、２２Ａ…第一の第二部材、２２Ｂ…第二の第二部材、２２Ｃ、２２Ｄ…端部、２２Ｅ、２２Ｆ…端縁、２２０…正極（第二の電極）、２２０Ａ、２２０Ｂ、２２０Ｆ…端部、２２０Ｃ、２２０Ｄ…端縁、２２１…セパレータ、２２１０…折り曲げ部、２２１１…第一被覆部、２２１２…第二被覆部、２２１３…第一出代部、２２１４…第二出代部、２２１５…端部、２２１６…位置、２２２…金属箔、２２３…正極活物質層、２２４…本体部、２２４Ａ、２２４Ｂ…端縁、２２５…正極タブ、２２５Ａ…突出量、２２５Ｃ…中心、２２５Ｂ…端縁、２３…折り返し部、２３Ａ…第一折り返し部、２３Ｂ…第二折り返し部、２３１…谷折り面、２３２…山折り面、２３３、２３３Ａ、２３３Ｂ…平坦部、２３３１…平坦部本体、２３３２…負極タブ、２３４…ターン部、２３４Ｓ…折り返し軸、３…ケース、３１…ケース本体、３１０…開口周縁部、３１１…閉塞部、３１２…胴部、３１３…長壁部、３１４…短壁部、３２…蓋板、４…絶縁部材、５…外部端子、６…集電体、１１…蓄電装置、１２…バスバ部材、１０２…電極体、１２１…負極・セパレータ圧着体、１２２…正極、１２３…セパレータ、１２４…負極体、α…平坦部とターン部との境界
【図１】
2019053825.tif 000003
【図２】
2019053825.tif 000004
【図３】
2019053825.tif 000005
【図４】
2019053825.tif 000006
【図５】
2019053825.tif 000007
【図６】
2019053825.tif 000008
【図７】
2019053825.tif 000009
【図８】
2019053825.tif 000010
【図９】
2019053825.tif 000011
【図１０】
2019053825.tif 000012
【図１１】
2019053825.tif 000013
【図１２】
2019053825.tif 000014
【図１３】
2019053825.tif 000015
【図１４】
2019053825.tif 000016
【図１５】
2019053825.tif 000017
【図１６】
2019053825.tif 000018
【図１７】
2019053825.tif 000019
【図１８】
2019053825.tif 000020
【図１９】
2019053825.tif 000021